【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
複数のスピーカを並べて配置したスピーカアレイを含む再生部と、
前記再生部が設置された環境の環境音を収音する収音部と、
前記スピーカアレイから放射された音波が強め合う再生ラインと弱め合う非再生ラインとを含む制御ラインに基づいて、前記複数のスピーカに出力させる再生音を調整し、前記再生部から出力させる処理部とを備え、
前記処理部は、前記収音した前記環境音から騒音レベルを測定し、各周波数において、前記制御ラインにおける前記非再生ラインに到達する前記再生音の音圧が前記騒音レベルを上回らないように前記再生音を調整する、
エリア再生システム。
【請求項２】
前記再生音の調整は、前記制御ラインにおける前記非再生ラインに到達する前記再生音の音圧が前記騒音レベルを上回る周波数成分を削除する調整である、
請求項１に記載のエリア再生システム。
【請求項３】
前記処理部はさらに、
前記再生ラインに到達する前記再生音の音量の変更を受け付け、
前記再生音の音量の変更によって、前記制御ラインにおける前記非再生ラインに到達する前記再生音の音圧が前記騒音レベルを上回る周波数成分を削除する、
請求項１に記載のエリア再生システム。
【請求項４】
前記処理部は、
各周波数において、前記制御ラインにおける前記非再生ラインに到達する前記再生音の音圧が前記騒音レベルを上回る場合は、
前記非再生ラインに到達する前記再生音の音圧が、前記騒音レベルを上回らないように前記再生ラインの幅を調整する、
請求項１に記載のエリア再生システム。
【請求項５】
前記処理部は、
各周波数において、前記制御ラインにおける前記非再生ラインに到達する前記再生音の音圧が前記騒音レベルを上回る場合は、
前記非再生ラインに到達するマスキング音の音圧が、前記非再生ラインに到達する前記再生音の音圧を上回るように、前記再生音に前記マスキング音を合成する調整を行う、
請求項１に記載のエリア再生システム。
【請求項６】
前記マスキング音は、前記収音部によって収音された前記環境音である、
請求項５に記載のエリア再生システム。
【請求項７】
前記マスキング音は、前記再生部が設置された環境で使用されている背景音楽である、
請求項５に記載のエリア再生システム。
【請求項８】
前記収音部は、前記エリア再生システムのユーザが使用する端末に搭載されたマイクを含む、
請求項１に記載のエリア再生システム。
【請求項９】
前記処理部はさらに、
前記エリア再生システムに含まれるまたは外部に備えられたセンサから人物の位置に関する情報を取得し、
前記制御ラインを前記人物の位置に関する情報に基づいて設定する、
請求項１に記載のエリア再生システム。
【請求項１０】
複数のスピーカを並べて配置したスピーカアレイを含む再生部と、
前記再生部が設置された環境の環境音を収音する収音部と、
前記スピーカアレイから放射された音波が強め合う再生ラインと弱め合う非再生ラインとを含む制御ラインに基づいて、前記複数のスピーカに出力させる再生音を調整し、前記再生部から出力させる処理部とを備え、
前記処理部は、前記収音した前記環境音から騒音レベルを測定し、各周波数において、前記制御ラインにおける前記再生ラインに到達する前記再生音の音圧が前記騒音レベルを上回るように前記再生音を調整する、
エリア再生システム。
【請求項１１】
複数のスピーカを並べて配置したスピーカアレイを含む再生部を備えたエリア再生システムのエリア再生方法であって、
前記再生部が設置された環境の環境音を収音し、
前記スピーカアレイから放射された音波が強め合う再生ラインと弱め合う非再生ラインとを含む制御ラインに基づいて、前記複数のスピーカに出力させる再生音を調整し、前記再生部から出力させ、
前記調整では、
前記収音した前記環境音から騒音レベルを測定し、
各周波数において、前記制御ラインにおける前記非再生ラインに到達する前記再生音の音圧が前記騒音レベルを上回らないように前記再生音を調整する、
エリア再生方法。
【請求項１２】
複数のスピーカを並べて配置したスピーカアレイを含む再生部を備えたエリア再生システムのエリア再生方法であって、
前記再生部が設置された環境の環境音を収音し、
前記スピーカアレイから放射された音波が強め合う再生ラインと弱め合う非再生ラインとを含む制御ラインに基づいて、前記複数のスピーカに出力させる再生音を調整し、前記再生部から出力させ、
前記調整では、
前記収音した前記環境音から騒音レベルを測定し、
各周波数において、前記制御ラインにおける前記再生ラインに到達する前記再生音の音圧が前記騒音レベルを上回るように前記再生音を調整する、
エリア再生方法。
【手続補正２】
【補正対象書類名】明細書
【補正対象項目名】０００５
【補正方法】変更
【補正の内容】
【０００５】
上記課題を解決するために、本開示の一態様のエリア再生システムは、複数のスピーカを並べて配置したスピーカアレイを含む再生部と、前記再生部が設置された環境の環境音を収音する収音部と、前記スピーカアレイから放射された音波が強め合う再生ラインと弱め合う非再生ラインとを含む制御ラインに基づいて、前記複数のスピーカに出力させる再生音を調整し、前記再生部から出力させる処理部とを備え、前記処理部は、前記収音した前記環境音から騒音レベルを測定し、各周波数において、前記制御ラインにおける前記非再生ラインに到達する前記再生音の音圧が前記騒音レベルを上回らないように前記再生音を調整するものである。
【手続補正３】
【補正対象書類名】明細書
【補正対象項目名】００１３
【補正方法】変更
【補正の内容】
【００１３】
このような課題を解決するために、本開示の一態様によるエリア再生システムは、複数のスピーカを並べて配置したスピーカアレイを含む再生部と、前記再生部が設置された環境の環境音を収音する収音部と、前記スピーカアレイから放射された音波が強め合う再生ラインと弱め合う非再生ラインとを含む制御ラインに基づいて、前記複数のスピーカに出力させる再生音を調整し、前記再生部から出力させる処理部とを備え、前記処理部は、前記収音した前記環境音から騒音レベルを測定し、各周波数において、前記制御ラインにおける前記非再生ラインに到達する前記再生音の音圧が前記騒音レベルを上回らないように前記再生音を調整する。
【手続補正４】
【補正対象書類名】明細書
【補正対象項目名】００１４
【補正方法】変更
【補正の内容】
【００１４】
本構成によれば、環境音から騒音レベルを測定し、各周波数において、制御ラインにおける非再生ラインに到達する再生音の音圧が騒音レベルを上回らないように、再生音を調整する。これにより、非再生ラインに到達する再生音を環境音で打ち消して、再生ライン以外に再生音が漏洩することを防止することができる。このように、本構成によれば、環境音に合わせて再生音を適切に調整可能なエリア再生を実現することができる。
【手続補正５】
【補正対象書類名】明細書
【補正対象項目名】００１９
【補正方法】変更
【補正の内容】
【００１９】
また、前記処理部は、各周波数において、前記制御ラインにおける前記非再生ラインに到達する前記再生音の音圧が前記騒音レベルを上回る場合は、前記非再生ラインに到達する前記再生音の音圧が、前記騒音レベルを上回らないように前記再生ラインの幅を調整してもよい。
【手続補正６】
【補正対象書類名】明細書
【補正対象項目名】００２１
【補正方法】変更
【補正の内容】
【００２１】
また、前記処理部は、各周波数において、前記制御ラインにおける前記非再生ラインに到達する前記再生音の音圧が前記騒音レベルを上回る場合は、前記非再生ラインに到達するマスキング音の音圧が、前記非再生ラインに到達する前記再生音の音圧を上回るように、前記再生音に前記マスキング音を合成する調整を行ってもよい。
【手続補正７】
【補正対象書類名】明細書
【補正対象項目名】００３１
【補正方法】変更
【補正の内容】
【００３１】
本開示の他の一態様によるエリア再生システムは、複数のスピーカを並べて配置したスピーカアレイを含む再生部と、前記再生部が設置された環境の環境音を収音する収音部と、前記スピーカアレイから放射された音波が強め合う再生ラインと弱め合う非再生ラインとを含む制御ラインに基づいて、前記複数のスピーカに出力させる再生音を調整し、前記再生部から出力させる処理部とを備え、前記処理部は、前記収音した前記環境音から騒音レベルを測定し、各周波数において、前記制御ラインにおける前記再生ラインに到達する前記再生音の音圧が前記騒音レベルを上回るように前記再生音を調整する。
本構成によれば、環境音から騒音レベルを測定し、各周波数において、制御ラインにおける再生ラインに到達する再生音の音圧が騒音レベルを上回るように、再生音を調整する。これにより、再生ラインに到達する再生音が環境音で打ち消されることを防止することができる。このように、本構成によれば、環境音に合わせて再生音を適切に調整可能なエリア再生を実現することができる。
また、本開示は、以上のような特徴的な処理を実行するための処理実行部を備えるエリア再生システムだけでなく、当該エリア再生システムにおける上記特徴的な処理を実行するエリア再生方法も開示する。